(57)【要約】      （修正有）【課題】大きな衝撃吸収効果を有し、運動中（例えば、ランニング）の乳房の揺れによる乳首と下着との間の過度の摩擦によって引き起こされる負傷または痛みが軽減されるブラジャーパッド、およびブラジャー領域にそれを用いた衣類を提供する。【解決手段】ブラジャーパッドＳＤは、パッド本体１０を含み、パッド本体はカップ形状であり、凹面を有し、パッド本体の材料は脂肪族ポリウレタンを含む。ブラジャーパッドおよび、ブラジャー領域にブラジャーパッドを用いた衣類のブラジャーパッドは、パッド本体の凹面上に配置され、凹面から突出する複数の帯状のセントラリゼーション構造１１０ａ〜ｃをさらに備える。複数の帯状のセントラリゼーション構造の材料は脂肪族ポリウレタンを含む。【選択図】図２
0003218225.tif 000002
【実用新案登録請求の範囲】
【請求項１】
カップ形状であり、凹面を有するパッド本体であって、前記パッド本体の材料は脂肪族ポリウレタンを含むパッド本体、を備えるブラジャーパッド。
【請求項２】
前記凹面上に配置され、前記凹面から突出する複数の帯状のセントラリゼーション構造、をさらに備える請求項1に記載のブラジャーパッド。
【請求項３】
前記複数の帯状のセントラリゼーション構造の材料は脂肪族ポリウレタンを含む、請求項２に記載のブラジャーパッド。
【請求項４】
ブラジャー領域を有する衣服であって、
前記ブラジャー領域に２つのブラジャーパッドが一対となって配置される衣類本体、を備え、
前記ブラジャーパッドの各々は、カップ形状であり、凹面を有するパッド本体であって、前記パッド本体の材料は脂肪族ポリウレタンを含むパッド本体、を備える衣服。
【請求項５】
前記ブラジャーパッドの各々は、前記凹面上に配置され、前記凹面から突出する複数の帯状のセントラリゼーション構造、をさらに備える請求項４に記載の衣服。
【請求項６】
前記複数の帯状のセントラリゼーション構造の材料は脂肪族ポリウレタンを含む、請求項５に記載の衣服。
【考案の詳細な説明】
【技術分野】
【０００１】
本開示は、下着に関し、特に、ブラジャーパッドおよびブラジャー領域にブラジャーパッドを用いた衣類に関する。
【背景技術】
【０００２】
外観を気にする近代的な女性にとって、女性の下着は日常生活にとって欠くことのできない必需品であり、女性の姿勢をより優雅にし、自信を高めるためのツールの１つである。したがって、女性の下着に対する要求は年々増加している。下着は外観がよく見えるだけでなく、快適に着用できるように適切な素材で作られていなければならない。さらに下着は、現在、女性の要求を満たすために機能を有していなければならない。
【０００３】
例えば、ユーザが下着を着用して運動するとき、運動中の乳房の振動のために乳首がしばしば擦られるので、ユーザは不快感または苦痛を感じやすく、さらには負傷することがある。特に、ランニングしているユーザーの場合、乳首と下着との間の過度の摩擦の問題は、ランニング中に乳房が常に揺れるため、より簡単に起こる。
【０００４】
さらに、既存の女性の下着のブラジャーパッドのほとんどは、芳香族イソシアネートで作られたスポンジまたは発泡体である。上記材料のスポンジまたは発泡体は発癌性である芳香族アミンを有し、これらのスポンジまたは発泡体は長期間使用することにより、人体の温度によって芳香族アミンガスを放出しやすくなる。その結果、芳香族アミンガスは皮膚の孔を通って人体に入り込み、それによって着用者の慢性的な中毒を引き起こし、乳癌になる可能性を増加させる。
【考案の概要】
【課題を解決するための手段】
【０００５】
本開示は、既存のブラジャーパッドにおける上記問題を解決するために、一種のブラジャーパッドおよびブラジャー領域にブラジャーパッドを用いた衣類を提供する。
【０００６】
本開示の一実施形態によれば、ブラジャーパッドはパッド本体を含む。パッド本体はカップ形状であり、凹面を有し、パッド本体の材料は脂肪族ポリウレタンを含む。
【０００７】
ブラジャーパッドは、凹面上に配置され、凹面から突出する複数の帯状のセントラリゼーション構造をさらに含む。
【０００８】
ブラジャーパッド上の複数の帯状のセントラリゼーション構造の材料は脂肪族ポリウレタンを含む。
【０００９】
本開示の他の実施形態によれば、ブラジャー領域を有する衣類が提供される。衣服は、ブラジャー領域を有する衣類本体を含み、ブラジャー領域には上記実施形態のいずれかに記載のブラジャーパッドが配置される。
【考案の効果】
【００１０】
上記の実施形態に鑑みて、本開示のブラジャーパッドおよびブラジャーパッドを用いた衣類は、着用者の乳房に逆の圧力を及ぼさないので、本開示のブラジャーパッドおよび衣類は、着用者の乳房に大きな衝撃吸収効果を提供し得る。特に、定期的な運動（例えば、ランニング）を行っている着用者にとって、運動中の乳房の揺れによる乳首と下着との間の過度の摩擦によって引き起こされる負傷または痛みが軽減され得る。
【図面の簡単な説明】
【００１１】
【図１】本開示の一実施形態によるブラジャー領域にブラジャーパッドを用いた衣類の概略図である。
【図２】本開示の一実施形態による一対のブラジャーパッドの背面図である。
【図３】図２の断面線３−３に沿った、本開示の一実施形態によるブラジャーパッドの断面図である。
【図４】本開示の他の実施形態によるブラジャー領域にブラジャーパッドを用いた衣類の概略図である。
【図５】本開示のさらに他の実施形態によるブラジャー領域にブラジャーパッドを用いた衣類の概略図である。
【考案を実施するための形態】
【００１２】
本開示は、以下に示す詳細な説明および例示的に示す添付の図面からより完全に理解されるであろう。したがって、これらは本開示を限定するものではない。
【００１３】
以下の詳細な説明では、説明のために、開示された実施形態の完全な理解を促すために、多くの特定の詳細事項が述べられる。しかしながら、これらの特定の詳細事項なしに1つまたは複数の実施形態が実施できることは明らかである。一方で、図面を簡略化するために、周知の構造およびデバイスは概略的に示す。
【００１４】
本開示において提供されるブラジャーパッドは、一対の対称的関連構造として適用され、各対のブラジャーパッドは、鏡面対称に設計される。一対のブラジャーパッドは、ブラジャー領域を有する衣類に着脱可能または非着脱可能に適用することができる。例えば、本開示で提供される一対のブラジャーパッドは、女性の下着に配置することができる。
【００１５】
本開示において提供されるブラジャーパッドを備えた女性の下着を着用したとき、着用者が快適さ、カバレージおよび衝撃吸収効果を感じることを可能にするため、本開示で提供されるブラジャーパッドは、脂肪族ポリウレタン発泡体材料から構成される。本開示のブラジャーパッドを製造するための脂肪族ポリウレタン発泡体材料の成分は、例示的に以下に列挙される。
【００１６】
例えば、本開示のブラジャーパッドを製造するために使用される軟質ポリウレタン発泡体は、イソシアネート成分、イソシアネート活性混合物、架橋剤、触媒および他の1種以上の物質の反応生成物を含んでもよい。さらに、本開示のブラジャーパッドに使用される軟質ポリウレタン発泡体は、例えば７５〜１０５のイソシアネート指数で製造されてもよい。製造された発泡体の密度は、例えば、１０〜２００ｋｇ／ｍ3、好ましくは１６〜１６０ｋｇ／ｍ3であってもよい。なお、上記値は、ＪＩＳ  Ｋ  ６４００（１９９７年版）の方法で測定した値である。
【００１７】
実際には、イソシアネート成分は、イソシアネート基が芳香族環に直接結合している芳香族イソシアネートを含まない。イソシアネート活性混合物は、第１のイソシアネート活性成分および第２のイソシアネート活性成分を含む。
【００１８】
例えば、第１のイソシアネート活性成分は、少なくとも２．６個のイソシアネート活性基を有する。好ましくは、第１のイソシアネート活性成分は、２．６〜６．５個のイソシアネート活性基を有し、より好ましくは、第１のイソシアネート活性成分は２．６５〜６．０個のイソシアネート活性基を有する。最も好ましい条件では、第１のイソシアネート活性成分は、２．７〜５．５個のイソシアネート活性基を有する。第１のイソシアネート活性成分の水酸基当量は、例えば８００未満であり、好ましくは、第１のイソシアネート活性成分の水酸基当量は８０〜８００であり、より好ましくは、第1のイソシアネート活性成分の水酸基当量は１００〜７００であり、最も好ましい条件では、第１イソシアネート活性成分の水酸基当量は１１０〜６００である。第１のイソシアネート活性成分の水酸基価は、例えば７０ｍｇＫＯＨ／ｇより高く、好ましくは、第１のイソシアネート活性成分の水酸基価は７０〜７００ｍｇＫＯＨ／ｇであり、より好ましくは、第１のイソシアネート活性成分の水酸基価は８０〜５６０ｍｇＫＯＨ／ｇであり、第１のイソシアネート活性成分の水酸基価が９０〜５１０ｍｇＫＯＨ／ｇであることが好ましい。
【００１９】
第２のイソシアネート活性成分の平均ヒドロキシル官能価は、例えば６．０未満であり、好ましくは第２のイソシアネート活性成分の平均ヒドロキシル官能価は１．８〜６．０であり、より好ましくは第２のイソシアネート活性成分の平均ヒドロキシル官能価は１．８５〜４．５である。第２のイソシアネート活性成分の水酸基当量は、例えば６００〜６０００であり、好ましくは、第２のイソシアネート活性成分の水酸基当量は７００〜５０００であり、より好ましくは、第２のイソシアネート活性成分の水酸基当量は８００〜４５００である。第２のイソシアネート活性成分の水酸基価は、例えば９〜９４ｍｇＫＯＨ／ｇであり、好ましくは、第２のイソシアネート活性成分の水酸基価は１９〜８０ｍｇＫＯＨ／ｇであり、より好ましくは、第２のイソシアネート活性成分の水酸基価は、１４〜７０ｍｇＫＯＨ／ｇである。第２のイソシアネート活性成分の第１級水酸基含有量は、例えば少なくとも３０重量部であり、好ましくは、第２のイソシアネート活性成分の第１級水酸基含有量は少なくとも４０重量部であり、より好ましくは、第２のイソシアネート活性成分の第１級水酸基含有量は少なくとも５１重量部である。上述する含有量は、第２のイソシアネート活性成分の総重量が１００重量部であることを条件として算出される。
【００２０】
第１のイソシアネート活性成分の使用量は、例えば２０〜９０重量部、好ましくは２０〜７０重量部であり、第２のイソシアネート活性成分の使用量は、例えば１０〜８０重量部、好ましくは３０〜８０重量部であり、上述する２つはイソシアネート活性混合物１００重量部に基づいて計算される。
【００２１】
架橋剤は、６０〜４２０ｇ／ｍｏｌの重量平均分子量を有し、少なくとも２つのイソシアネート活性官能基を含む。架橋剤の使用量は１．２〜１０重量部であり、イソシアネート活性混合物１００重量部に対して算出される。
【００２２】
他の１種以上の物質は、水、界面活性剤および添加剤から選択することができる。
【００２３】
他の実施形態では、イソシアネート活性成分は、ポリマーポリオール０〜４０重量部（イソシアネート活性成分１００重量部に対して計算される）をさらに含み、ポリマーポリオールの固形分は５〜５５重量部（ポリマーポリオール１００重量部を基準にして計算される）を有し、ポリマーポリオールの水酸基価は１５〜５０ｍｇＫＯＨ／ｇである。
【００２４】
イソシアネート活性成分は、セルオープナー（cell-opener）として働くポリ（プロピレンオキシド）０〜３．５重量部（全発泡体質１００重量部に対して計算される）を含んでもよい。ポリ（プロピレンオキシド）の公称ヒドロキシル官能価は１であり、その重量平均分子量は８００〜８５００ｇ／ｍｏｌである。
【００２５】
イソシアネート成分は、脂肪族イソシアネート、脂環式イソシアネートおよびイソシアネート基が芳香族環に直接結合していない芳香族イソシアネートのうちの１つ以上のイソシアネートから選択される。
【００２６】
イソシアネートとしては、脂肪族ジイソシアネート及び／又は脂環式ジイソシアネート及び／又はイソシアネート基が芳香族環に直接結合していない芳香族ジイソシアネートモノマーを含んでもよく、３量体と脂肪族ジイソシアネートモノマー及び／又は脂環式ジイソシアネートモノマー及び／又はイソシアネート基が芳香族環に直接結合していない芳香族ジイソシアネートモノマーとの混合物を含んでもよい。３量体は、脂肪族ジイソシアネート／脂環式ジイソシアネート／イソシアネート基が芳香族環に直接結合していない芳香族ジイソシアネートの三量化反応の生成物である。混合物中、ＮＣＯ含有量は２０．５〜５０．０重量部（イソシアネート成分中の全イソシアネート１００重量部に基づいて計算される）であり、計算された官能価は２〜３である。脂肪族イソシアネート／脂環式イソシアネート／イソシアネート基が芳香族環に直接結合していない芳香族イソシアネートとしては、ヘキサメチレンジイソシアネート、ビシクロヘプタントリイソシアネート、ウンデカントリイソシアネート、イソホロンジイソシアネート、ジシクロヘキシルメタンジイソシアネート、メチルシクロヘキサンジイソシアネート、ジメチルシクロヘキサンジイソシアネート、フェニレンジメチジンジイソシアネート、テトラメチルフェニレンジメチジンジイソシアネート、およびそれらの２量体および３量体が含まれてもよいが、これに限定されない。イソシアネートは、ヘキサメチレンジイソシアネート及びイソホロンジイソシアネートが好ましい。
【００２７】
脂肪族及び／又は脂環式及び／又はイソシアネート基が芳香族環に直接結合していない芳香族イソシアネートモノマーおよび三量体に加えて、イソシアネート成分は、さらにイソシアネート基が芳香族環に直接結合していない脂肪族／脂環式／芳香族イソシアネートプレポリマーを含んでもよい。脂肪族／脂環式／芳香族イソシアネートプレポリマーは、イソシアネート成分の全重量に基づいて３５重量％までの重量％を有し、２〜４イソシアネート官能基を含む。
【００２８】
イソシアネートは、例えば６５〜１１０、好ましくは７０〜１０５、より好ましくは７５〜１０５のイソシアネート指数で使用される。
【００２９】
イソシアネート活性成分は、ポリヒドロキシアルキレンオキシド付加物のポリエーテルポリオール、ポリテトラメチレンエーテルグリコール、およびポリトリメチレンエーテルグリコールのような多数の化合物を含んでもよい。より詳細には、イソシアネート活性成分としてポリトリメチレンエーテルグリコールを使用することにより、軟質ポリウレタン発泡体を生分解性にすることができる。
【００３０】
軟質ポリウレタン発泡体の硬度および弾性は、実際の要件に基づいて調整することができる。例えば、軟質ポリウレタン発泡体の硬度は、第１のイソシアネート活性成分と第２のイソシアネート活性成分との間の比を調整し、適切なイソシアネート指数を選択することによって調節することができる。
【００３１】
上述する軟質ポリウレタン発泡体のように本開示のブラジャーパッドの材料は、イソシアネート基が芳香環に直接結合した芳香族イソシアネートを有していない。このため本開示のブラジャーパッドは、環境温度、湿度、人体温度、発汗（酸性物質）などから生じる化学的連鎖破壊による発泡体の経年劣化による発癌性芳香族アミンガスを放出しない。さらに、本開示のブラジャーパッドに使用される発泡体は、記憶特性を有し、逆の圧力を有しないので、着用者が本開示のブラジャーパッドを含む女性用下着を着用すると、ブラジャーパッドは、着用者の乳房によりフィットし、カバーすることができ、衝撃吸収効果を有する。特に、定期的な運動（例えば、ランニング）を行っている着用者にとって、運動中の乳房の揺れによる乳首と下着との過度の摩擦によって引き起こされる負傷または痛みが軽減され得る。さらに、本開示のブラジャーパッドに使用される発泡体は生分解性であるので、本開示のブラジャーパッドは環境保護の要件を満たすことができる。
【００３２】
以下では、本開示において提供される一対のブラジャーパッドを女性用下着に適用する実施形態を詳細に説明する。
【００３３】
本開示の一実施形態によるブラジャーパッドを用いたブラジャー領域を有する衣類の概略図である図1を参照する。図１に示すように、ブラジャー領域を有する衣類は、ブラジャー領域ＢＲを備えた女性用の下着によって実施される。この女性用の下着は、ブラジャー領域ＢＲを有する衣類本体ＣＨ１を含む。衣類本体ＣＨ１のブラジャー領域ＢＲのサイズおよび設定は、規則的または特定の要件に基づいて設計することができる。ブラジャー領域ＢＲは、一対のブラジャーパッドＳＤを収容する領域を含む。この領域では、一対のブラジャーパッドＳＤが鏡面対称に配置される。以下では、ブラジャー領域ＢＲに配置される一対のブラジャーパッドＳＤについて詳細に説明する。
【００３４】
図１および図２を参照すると、図２は、本開示の一実施形態による一対のブラジャーパッドの背面図である。本開示の一実施形態によれば、各ブラジャーパッドＳＤは、パッド本体１０を含む。例えば、このパッド本体１０の材料は、上述した脂肪族ポリウレタンからなる発泡体である。パッド本体１０は、上縁部１１と、下縁部１２と、第１縁部１３と、第２縁部１４と、を備える。上縁部１１は下縁部１２と対向し、第１縁部１３は第２縁部１４と対向している。上縁部１１および下縁部１２は、何れも第１縁部１３と第２縁部１４との間に位置する。より具体的には、上縁部１１のそれぞれの両端は、一端が第１縁部１３に、他端が第２縁部１４に接続され、下縁部１２のそれぞれの両端は、一端が第１縁部１３に、他端が第２縁部１４に接続される。
【００３５】
一実施形態では、第１縁部１３を含むパッド本体１０の一部分は、人の乳房の内側周辺Ｅ１を覆うように構成されている。下縁部１２を含むパッド本体１０の他の一部分は、人の乳房の下側周辺Ｅ２を覆うように構成されている。第２縁部１４を含むパッド本体１０のさらに別の一部分は、人の乳房の外側周辺Ｅ３を覆うように構成される。言い換えれば、本開示のブラジャーパッドＳＤは、人の乳房を支持し覆うために、少なくとも乳房の内側周辺Ｅ１、下側周辺Ｅ２および外側周辺Ｅ３を覆うことができる。
【００３６】
本開示のブラジャーパッドの人の乳房に対するカバレージおよび適合性を説明するために図３を参照する。図３は、本開示の一実施形態による、図２の断面線３−３に沿ったブラジャーパッドの断面図である。本実施形態において単一のブラジャーパッドＳＤのパッド本体１０はカップ形状であり、凹面ＣＳを備える。ブラジャーパッドＳＤは、人の乳房を覆うことができるばかりでなく、凹面ＣＳを介して人の乳房に完全にフィットするので、本開示において提供されるブラジャーパッドＳＤを用いてユーザが衣類を着用するときに、ユーザの胸型により適合し得る。
【００３７】
図２に戻り、本開示のブラジャーパッドＳＤは、複数の帯状のセントラリゼーション構造をさらに備える。例えば、帯状のセントラリゼーション構造の材料は、上述の脂肪族ポリウレタンからなる発泡体である。一実施形態において、ブラジャーパッドＳＤ上に３つの帯状のセントラリゼーション構造１１０ａ〜１１０ｃを配置することができる。本開示の説明の便宜上、以下の各実施形態において、３つの帯状のセントラリゼーション構造１１０ａ〜１１０ｃを有するブラジャーパッドＳＤが例示的な構造として設けられているが、これに限定されない。
【００３８】
セントラリゼーション構造１１０ａ〜１１０ｃは、凹面ＣＳ上に位置し、凹面ＣＳから突出している。一実施形態では、図２に示すように、帯状のセントラリゼーション構造１１０ａ〜１１０ｃが凹面ＣＳの下側に配置され、帯状のセントラリゼーション構造１１０ａ〜１１０ｃは、下縁部１２から上縁部１１の方向に互いに平行に並べて配置される。
【００３９】
より具体的には、２つの隣接する帯状のセントラリゼーション構造が互いに並んで配置されているので、２つの隣接する帯状のセントラリゼーション構造の間に溝Ｇが形成される。溝Ｇと人の肌との間に通気性のある空間が形成され、ブラジャーパッドＳＤの通気性が向上し、ユーザの暑い感覚を減少させることができる。特に、天気は夏には蒸し暑くなり、ブラジャーパッドＳＤの通気性構造は、本開示のブラジャーパッドで衣類を着用したときに、ユーザが快適に感じることができ、暑苦しくならないようにすることができる。
【００４０】
さらに、帯状のセントラリゼーション構造１１０ａ〜１１０ｃのそれぞれは、第１縁部１３から第２縁部１４まで延びており、曲線として形成されている。より詳しくは、セクションに分割された帯状のセントラリゼーション構造の各々について、第１縁部１３の近くのセクションは、本開示のブラジャーパッドＳＤが人の乳房を押し上げる機能を提供できるように、少なくとも人の乳房の下側周辺Ｅ２を支持するように構成される。第２縁部１４の近くのセクションは第１縁部１３から第２縁部１４に向かって徐々に上方に延びており、人の乳房の外側周辺Ｅ３を押して、人の乳房を人間の胸部の中央に寄せるように構成されることで、本開示のブラジャーパッドＳＤは、人の乳房を寄せる機能を提供することができる。より具体的には、第１縁部１３の近くのセクションの帯状のセントラリゼーション構造は、人の乳房を押し上げるように、人の乳房の下側周辺Ｅ２に適度な力を上方向に作用させることで、ユーザの指によって人の乳房を押し上げるような効果がある。第２縁部１４の近くのセクションの帯状のセントラリゼーション構造は、人の乳房を胸部の中心に押しやるように、人の乳房の外側周辺Ｅ３に適度な力を横方向に作用させることで、ユーザの指によって人の乳房を人の胸部の中心に押し込むような効果がある。
【００４１】
したがって、帯状のセントラリゼーション構造１１０ａ〜１１０ｃは、人の指を近づけるように配置され、設計された突出物であり、女性の下着を着用しているときに女性が自身の手で乳房を持ち上げて外側から内側に寄せる状況をシミュレートするように構成されている。帯状のセントラリゼーション構造は、乳房の下側周辺から外側周辺に延びる指を模擬するモデルとセントラリゼーションサポートマッサージラインを形成する。したがって、セントラリゼーション構造の上記設計は、ユーザが本開示のブラジャーパッドを用いた衣類を着用したときに、ユーザの乳房に長期的な寄せて押し上げる効果を提供する。さらに、乳房の拡張または垂れる可能性を大幅に低減することができ、乳房が大きく見えることがある。
【００４２】
さらに、ブラジャーパッドが人間の皮膚に接触するとき、帯状のセントラリゼーション構造１１０ａ〜１１０ｃが提供できる押圧力は、帯状のセントラリゼーション構造が配置されていない凹面ＣＳの他の部分よりも大きい。指のように配置されたこのような突出構造を介して、ユーザは、本開示のブラジャーパッドＳＤを用いた衣類を着用したときに指圧の効果を感じることができる。さらに、帯状のセントラリゼーション構造１１０ａ〜１１０ｃは、スリップを防止する機能を有していてもよく、本開示のブラジャーパッドＳＤを用いた衣類をユーザが着用したときに、ブラジャーパッドＳＤがユーザの活動および／または着用時間によってずれるという問題が低減され得る。
【００４３】
別の実施形態では、パッド本体１０のブラジャーパッドＳＤの形状およびサイズは、実際の要件に基づいて設計することができる。一実施形態では、パッド本体１０の上縁部１１と第２縁部１４との間に第1の夾角があり、パッド本体１０の下縁部１２と第２縁部１４との間に第２の夾角がある。第１および第２の夾角の大きさは本開示に限定されず、実際の設計要件に基づいて第１および第２の夾角の大きさの関係を調整することができる。また、パッド本体１０の上縁部１１、下縁部１２及び第１縁部１３は円弧を形成するので、パッド本体１０は人間の乳房の形状及びエルゴノミクスに適合し、カバレージを拡大することができる。
【００４４】
しかしながら、ブラジャーパッドによって覆われる乳房の領域は、この開示において限定されない。実際には、ブラジャーパッドの形状およびサイズは、実際の用途に基づいて調整することができる。例えば、ブラジャーパッドの形状は、ハーフカップブラジャーパッド、３／４カップブラジャーパッド、フルカップブラジャーパッド、ティアドロップ型ブラジャーパッド、三角形ブラジャーパッドなどに属することができる。
【００４５】
本開示の上記の実施形態は、女性の下着に一対のブラジャーパッドを適用することに基づいて実施されているが、本開示はこれに限定されない。他の実施形態では、本開示で提供される一対のブラジャーパッドは、スポーツブラである衣類本体ＣＨ２のブラジャー領域ＢＲ（図４に示す）、タンクトップである衣類本体ＣＨ３のブラジャー領域ＢＲ（図５に示す）などに配置することができ、またはブラジャーパッドは胸部接着タイプのインビジブルなブラジャーにすることができる。
【００４６】
以上の説明から、本開示のブラジャーパッドは、脂肪族ポリウレタン発泡体材料で全体的に構成されているので、有毒な芳香族アミンガスを放出せず、有毒ガスの着用者の健康への悪影響を回避することができる。さらに、脂肪族ポリウレタン発泡体材料の記憶特性は、ブラジャーパッドが着用者の乳房に合わせてよりカバーすることを可能にし、大きな衝撃吸収効果を有し、ブラジャーパッドを用いた衣服を着用している間に不快感を感じることなく、着用者がより容易にかつ快適に動けるようにする。特に、定期的な運動（例えば、ランニング）を行っている着用者にとって、運動中の乳房の揺れによる乳首と下着との過度の摩擦によって引き起こされる負傷または痛みが軽減され得る。さらに、本開示のブラジャーパッドに使用される発泡体は生分解性であるので、本開示のブラジャーパッドは環境保護の要件を満たすことができる。さらに、上述の帯状のセントラリゼーション構造を含むブラジャーパッドは、寄せて押し上げる機能を有し、美しい乳房の形を作ることができる。
【図１】
0003218225.tif 000003
【図２】
0003218225.tif 000004
【図３】
0003218225.tif 000005
【図４】
0003218225.tif 000006
【図５】
0003218225.tif 000007